Podtech/llm-jp-corpus-v4-ja_patent huggingface dataset:
(57)【要約】      （修正有）【課題】毎日米飯を炊かなくても、常に仏前に米飯を供えられるようにする。【解決手段】仏器の米飯収容部の内面形状に略等しい形状の凹所４を持った容器部１と、半球形乃至は饅頭形の凹所６を持った蓋部５とからなるＰＥＴ樹脂製のパック内に加熱殺菌された米飯１０を収容し、容器部１及び蓋部５の周縁７、８同士を気密に接合した。【選択図】図１
0003104804.tif 000002
【実用新案登録請求の範囲】
【請求項１】
それぞれが凹所を有する容器部と蓋部とからなり、これら各部はその開口縁同士が互いに気密に接合され、内部に仏器に盛る１回量の加熱殺菌された米飯が収容されている仏器用米飯パック。
【請求項２】
請求項１において、上記容器部及び蓋部は透明な耐熱性合成樹脂によって形成されていることを特徴とする仏器用米飯パック。
【請求項３】
請求項１及び２において、上記容器部及び蓋部の一方の凹所は仏器の米飯収容部の内面形状に略一致する形状を有し、上記容器部及び蓋部の他方は半球形乃至は饅頭形をしていることを特徴とする仏器用米飯パック。
【請求項４】
請求項１または２において、上記蓋部の開口縁より外方へ向って開封用舌片が伸延していることを特徴とする仏器用米飯パック。
【考案の詳細な説明】
【技術分野】
【０００１】
本考案は仏器に盛るための米飯を１個づつパック詰めしたものである。
【背景技術】
【０００２】
仏前に毎朝米飯を仏器に盛ってお供えする習慣がある。しかし、家庭では朝食にパン食が広まり、毎朝米飯を炊くことが少なくなって来ている。従って仏前にお茶しかお供えできない場合が多くなっている。
【考案の開示】
【考案が解決しようとする課題】
【０００３】
従って、本考案は、米飯を炊かなくても、毎朝新しい米飯を簡単に仏器に盛って仏前にお供えすることができるパック入りの米飯を提供するものである。
【課題を解決するための手段】
【０００４】
本考案によるパックは、それぞれが凹所を有する容器部及び蓋部からなり、これら各部は開口縁が互いに気密に接合され、内部に米飯が収容され、加熱殺菌されている。
【０００５】
上記容器部及び蓋部は例えば透明なＰＥＴ樹脂のような耐熱性材料で作ることが望ましい。双方の開口縁は溶着または接着によって結合することが望ましく、その一方または双方に開封用の舌片を設けておくと、開封に便利である。また、容器部及び蓋部の一方の凹所の形状を仏器の米飯収容部の内面形状にほぼ等しくし、他方の凹所の形状を半球形乃至は饅頭形に米飯を盛上げた形状にしておけば、取出した米飯の仏器への盛付けが簡単になる。
【考案の効果】
【０００６】
本考案によれば、必要に応じパックごと米飯を加熱し、これを開いて所要量の米飯を取出して仏器に盛ることができるので、その都度多量の米飯を炊いたり、市販の大型パックを開封して仏器に盛る量だけ取出したりする手間を省くことができる。
【実施例】
【０００７】
図１において、１は仏器２の米飯収容部３（図２参照）にほぼ等しい凹所４を持った容器部であり、５は半球形の凹所６を持った蓋部である。容器部１及び蓋部５はそれぞれ外方へ拡がった開口縁７及び８を有し、開口縁同士が接合面９で互いに溶着されてパックを構成している。この内部には米飯１０が充填され、かつ加熱殺菌されている。１１は蓋部５の開口縁８に突出形成した舌片である。
【０００８】
上述の米飯パックは、必ずしも冷蔵の必要はなく、室温でも保存することができる。使用に際しては、パックごと熱湯で煮沸するか、或いは舌片１１を引張って接合面９の一部を開いて電子レンジで加熱し、更に舌片１１を引張って容器部１から蓋部５を分離することにより開封し、米飯１０を取出す。取出した米飯１０は、図２に示すように下面が仏器２の米飯収容部３に納まり、上面が半球形に盛上がっているので、そのまゝの形で仏前にお供えすることができる。
【０００９】
舌片１１は、蓋部５だけでなく容器部１にも設けておき、双方の舌片を上下方向に引張って開封するようにしてもよい。また、容器部１の開口縁８は、補強のために図示のように周縁を下方へ垂下させておくこともできる。
【００１０】
更に、容器部１の凹所４を半球形乃至は饅頭形に形成し、蓋部５の凹所６を仏器２の米飯収容部３の内面形状に等しく形成してもよい。このように形成するときは、容器部１から蓋部５を除去した後、容器部１を倒立させるだけで、容器部１の米飯１０を全く手を触れずに仏器２内へ移すことができて、便利である。
【図面の簡単な説明】
【００１１】
【図１】本考案を実施したパック入り米飯の縦断面図である。
【図２】図１に示した米飯を仏器に盛った状態の正面図である。
【符号の説明】
【００１２】
１    容器部
２    仏器
３    米飯収容部
４    凹所
５    蓋部
６    凹所
７    開口縁
８    開口縁
９    接合面
１０  米飯
１１  開封用舌片
【図１】
0003104804.tif 000003
【図２】
0003104804.tif 000004
(57)【要約】【課題】左右方向に２つの空気袋を並置し、各空気袋を一本の通気管で連通してなるエアー座布団において、長時間座位を続けた時の血行不良による尻の痛さ、腰の痺れを回復することができるエアー座布団を実現する。【解決手段】給排気弁を持つ２つの空気袋をお尻の当たる位置に配置し、該空気袋は１本の通気管で接続し、該通気管は２個の逆止弁を直列に且つ各々流れの向きが逆向きとなるように配列し、該逆止弁は外側から潰すような力を掛けると弁が開いて空気が流通し、力を掛けないと逆止弁に復帰する可撓性を有する材質及び構造からなる空気ポンプ式座布団。【選択図】図１
0003104898.tif 000002
【実用新案登録請求の範囲】
【請求項１】
左右方向に２つの空気袋を並置し、各空気袋を一本の通気管にて連通してなるエア座布団において、該通気管には２個の逆止弁を流れの向きが互いに逆向きとなるように直列に組み込んだことを特徴とする空気ポンプ式座布団。
【請求項２】
逆止弁は外側から潰すような力を掛けると弁が開いて空気が流通し、力を掛けないと逆止弁に復帰する可撓性を有する材質及び構造からなる請求項１記載の空気ポンプ式座布団。
【請求項３】
請求項１乃至請求項２に記載の空気ポンプ式座布団を座部に組み込むことを特徴とする空気ポンプ式座布団を備えた椅子。
【考案の詳細な説明】
【考案の詳細な説明】
【技術分野】
【０００１】  この考案は、空気ポンプ式座布団あるい空気ポンプ式座布団を備えた椅子に関し、詳しくは、長時間の座位によるお尻の痛み、腰の痺れを回復しようとする技術に係わるものである。
【背景技術】
【０００２】  従来の技術としては、第一に図３に示す２つの空気袋１，２を左右のお尻の当たる位置に配置してこれらを２本の接続パイプ２０，２１で接続し、各接続パイプの内部には逆止弁７，２３とストップ弁５，１５を直列に設け、該逆止弁は流れる方向が互いに逆向きになるように配置してポンプ機能を持たせ、該空気袋には空気注入排出孔２５，２６を設けるという特願２００２−２０６２５８がある。第二に図４に示すように、左右方向に少なくとも２つ以上の空気室１，２を併置し、各空気室１，２を狭くした連通部５にて連通する。この構成により、姿勢の変化に伴う座位の変化に応じて狭くした連通部５より空気が空気室１，２間を移動することができ、姿勢の変更を容易に行うことができる。姿勢の変更後に於いては連通している空気室１，２内の空気圧がバランスして安定的に体重を支持できるという特開２００２−２７２５６３がある。
【考案が解決しようとする課題】
【０００３】  これには次のような欠点があった。特願２００２−２０６２５８に於いては、空気流通の接続パイプが２本必要なことと、ストップ弁も２個必要となり構造が複雑でコストアップの原因となる。特開２００２−２７２５６３においては、空気室を連通することによって圧力がバランスするまで空気が移動するので姿勢の変化を楽に行え、又連通部に切替弁を設けることによって、空気の流通を停止し座った状態の安定化を図ることもできると提案されているが、お尻が座布団から受ける反力の軽減や腰の運動機能が無いため血行の改善はできず、長時間座位を続けた時の血行不良による尻の痛さ、腰の痺れを解消することはできないと考えられる。
【課題を解決するための手段】
【０００４】  ２つの空気袋をお尻の当たる位置に配置し、該空気袋は１本の通気管で接続し、該通気管は２個の逆止弁を直列に且つ各々流れの向きが逆向きとなるように配列し、該逆止弁は外側から潰すような力を掛けると弁が開いて空気が流通し、力を掛けないと逆止弁に復帰する可撓性を有する材質及び構造からなる。
【考案を実施するための最良の形態】
【０００５】  以下、本考案の実施例について図１及び図２で説明する。空気ポンプ式座布団は塩化ビニル樹脂またはウレタン樹脂製の薄膜に布張りした２枚のシートであって、お尻が乗る位置に２つの空気袋を形成するように溶着シール部において溶着し、空気袋１には逆止弁３、空気袋２には逆止弁４を設け、この間を通気管５で接続する。逆止弁３及び４は流れる方向が互いに逆向きになるように配置する。更に空気袋１には給排気弁７、空気袋２には給排気弁８を設ける。６は空気袋の溶着シール部である。【０００６】  逆止弁、通気管及び給排気弁は塩化ビニル樹脂またはウレタン樹脂製であり、逆止弁及び給排気弁は、例えば浮き輪の空気吹き込み口部材のように逆止弁を備え、逆止弁を容易に開放可能に構成した周知のものである。【０００７】  本考案は以上の様な構造で、これを使用する時は図２に示すように、給排気弁７及び８から空気袋１及び２に満杯より少し少なく吹き込む。【０００８】  空気袋１及び２に臀部を合わせて座り、長時間の座位によってお尻が痛くなるか腰が痺れたら、例えば逆止弁４を指で潰して開放し、左右のお尻で空気袋１及び２に交互に体重をかける動作を繰り返すと、逆止弁３のポンプ効果により確実に且つスピーデイーに空気袋２から空気袋１へ空気が移動する。【０００９】  次に空気袋１から空気袋２へ空気を移動するには、これと逆に逆止弁３を指で潰して開放し同様の動作を行う。又両方の逆止弁を働かせた状態では空気袋１，２間の空気の流通を停止して座った姿勢を安定化させることができる。
【考案の効果】
【００１０】  これには次の様な効果がある。
２つの空気袋に交互に体重を掛ける動作を繰り返すことは腰の運動になり、長時間の座位によるお尻の痛み、腰の痺れを回復する。又、膨張側の空気袋に体重を掛けて座る事によって収縮側のお尻が受ける反力が小さくなるので血行が改善し、これを左右のお尻で繰り返し行うことでお尻の痛み、腰の痺れを回復する。更に電源や送気ポンプが不要でコンパクトにもなるので電車、飛行機、自動車及びその他の椅子等の座部に設置しても上記効果に加えて座り心地も良くなるものである。又、椅子に敷いて用いる携帯式座布団としても便利である。
【図面の簡単な説明】
【００１１】
【図１】本考案の平面図と矢視図である。
【図２】本考案の断面図である。
【符号の説明】
１，２      空気袋
３，４      逆止弁
５          通気管
６          溶着シール部
７，８      給排気弁
【図１】
0003104898.tif 000003
【図２】
0003104898.tif 000004
【図３】
0003104898.tif 000005
【図４】
0003104898.tif 000006
【手続補正書】
【提出日】平成16年6月17日(2004.6.17)
【手続補正１】
【補正対象書類名】明細書
【補正対象項目名】００１１
【補正方法】変更
【補正の内容】
【００１１】
【図１】本考案の平面図と矢視図である。
【図２】本考案の断面図である。
【図３】背景技術の特願２００２−２０６２５８の図面である。
【図４】背景技術の特開２００２−２７２５６３の図面である。
(57)【要約】【課題】この考案は使用感がよいだけでなく、簡易にサイズ調整が行え、被り心地のよい介護用の帽子を提供する。【解決手段】タオル１にマジックテープ４（登録商標）と、紐６を通すボタン穴５を設けたことを特徴とする。【選択図】図２
0003104891.tif 000002
【実用新案登録請求の範囲】
【請求項１】
広幅部３を設けて形状の安定を保ち、帽子上部は、ボタン穴５に紐６を通すことにより、頭の大きさに合わせてサイズ調整を可能にする、フリーサイズの開閉にはマジックテープ４（登録商標）で固定した、フリーサイズの介護用キャップ。
【考案の詳細な説明】
【考案の属する技術の分野】
【０００１】この考案は、闘病治療中の方々が使用される帽子に関するものである。
【背景技術】
【０００２】薬による副作用などで、頭髪が抜けてお困りな方々は、市販されている毛糸で編んだ帽子やバンダナなどを利用されているのを見かけます。そのような方々に、本考案のタオルの帽子は１日中着用できる帽子である。
【考案が解決しようとする課題】
【０００３】本考案はタオルで出来ているので、肌触りがよく、汗をかいてもタオルが汗を吸います。また、フリーサイズ式ですから、必要なサイズにセットができる快適な帽子である。
【課題を解決するための手段】
【０００４】上記の課題を解決するため、素材は肌触りのよいものと考え、タオルで帽子を作り、サイズ調整としてマジックテープ（登録商標）にてフリーサイズの調整ができる。
【０００５】子供用サイズの帽子にする場合は、サイズ調整用のマジックテープの長さを長めにしておくとよい。
【考案の効果】
【０００６】本考案は生地がタオルということもあり、肌触りがよいので就寝する時にも使用可能である。また繰り返し洗濯しても特性が劣化しないので、こまめに洗濯でき、衛星的にも良い。また、サイズ調整が容易であるから、大人、子供ともに着用できる帽子である。
【考案を実施するための最良の形態】
【０００７】帽子における本体部の下に広幅部を、本体部の両端にマジックテープを縫着し、前合わせの開閉式にする。本体部の上はボタン穴と紐とを利用したサイズ調整のできる帽子とする。
【実施例】
【０００８】タオル本体部２の上部にボタン穴５を数個作り、紐６が通せるようにする。また広幅部３として、本体部２を内側に折り上げて縫う。【０００９】フリーサイズ式の構造は、広幅部３の一方の端部３ａの内側にマジックテープ４の片方を付け、もう一方の端部３ｂの端に、もう片方のマジックテープ４を付ける。【００１０】図示ボタン穴５に紐６を通し、絞って紐を結んでおく。
【図面の簡単な説明】
【００１１】
【図１】この考案の展開図である。
【図２】この考案の要部を示す図である。
【図３】図２の帽子の使用状態を図示したものである。
【符号の説明】
【００１２】  １．  タオル
２．  本体部
３．  広幅部
３ａ．一方の端部
３ｂ．他方の端部
４．  マジックテープ
５．  ボタン穴
６．  紐
【図１】
0003104891.tif 000003
【図２】
0003104891.tif 000004
【図３】
0003104891.tif 000005
【手続補正書】
【提出日】平成16年6月2日(2004.6.2)
【手続補正１】
【補正対象書類名】実用新案登録請求の範囲
【補正対象項目名】請求項１
【補正方法】変更
【補正の内容】
【請求項１】
広幅部３を設けて形状の安定を保ち、帽子上部は、ボタン穴５に紐６を通すことにより、頭の大きさに合わせてサイズ調整を可能にする、フリーサイズの開閉には面ファスナー４で固定した、フリーサイズの介護用キャップ。
【手続補正２】
【補正対象書類名】明細書
【補正対象項目名】０００４
【補正方法】変更
【補正の内容】
【０００４】上記の課題を解決するため、素材は肌触りのよいものと考え、タオルで帽子を作り、サイズ調整として面ファスナーにてフリーザイズの調整ができる。
【手続補正３】
【補正対象書類名】明細書
【補正対象項目名】０００５
【補正方法】変更
【補正の内容】
【０００５】子供用サイズの帽子にする場合は、サイズ調整用の面ファスナーの長さを長めにしておくとよい。
【手続補正４】
【補正対象書類名】明細書
【補正対象項目名】０００７
【補正方法】変更
【補正の内容】
【０００７】帽子における本体部の下に広幅部を、本体部の両端に面ファスナーを縫着し、前合わせの開閉式にする。本体部の上はボタン穴と紐とを利用したサイズ調整のできる帽子とする。
【手続補正５】
【補正対象書類名】明細書
【補正対象項目名】０００９
【補正方法】変更
【補正の内容】
【０００９】フリーサイズ式の構造は、広幅部３の一方の端部３ａの内側に面ファスナー４の片方を付け、もう一方の端部３ｂの端に、もう片方の面ファスナー４を付ける。
【手続補正６】
【補正対象書類名】明細書
【補正対象項目名】００１２
【補正方法】変更
【補正の内容】
【００１２】１．タオル２．本体部３．広幅部３ａ．一方の端部３ｂ．他方の端部４．面ファスナー５．ボタン穴６．紐
(57)【要約】【課題】  この考案は、植物性炭素繊維を芯にしたパッドを、着脱可能な構造にした枕カバーである。【解決手段】▲１▼  枕カバー本体（１）の一部を袋状（２）にし、ここに植物性炭素繊維を芯にしたパッド（５）を、装着口（３）より挿入して装着する。▲２▼  枕カバー本体（１）両端の接着部（４）に、片方又は両方にマジックテープを付け、枕を巻いて頭の接する袋状部分（２）の反対側で枕のサイズに合わせ、両端をスライドさせて調節し重ね合わせる。▲３▼  植物性炭素繊維を軸にしたパッド（５）は、植物性炭素繊維の両面に、通気性のある布地を配し、さらに表裏となる布地を重ね合わせて縫合する。【選択図】    図１
0003104892.tif 000002
【実用新案登録請求の範囲】
【請求項１】
枕カバーの、頭に接する部分を袋状にして、この部分に植物性炭素繊維を芯にしたパッドを装着する。
【請求項２】
植物性炭素繊維を芯にしたパッドは、植物性炭素繊維の両面に通気性のある布地を配し、さらに表裏となる布地を重ね合わせてキルテング状に縫合する。
以上の如く構成された、植物性炭素繊維を使用した枕カバー。
【考案の詳細な説明】
【考案の詳細な説明】
【技術分野】
【０００１】  この考案は、植物性炭素繊維を使用した枕カバーに関するものである。
【背景技術】
【０００２】  炭素繊維を使用した枕はあるが、天然素材である植物性炭素繊維を有効な方法で使用した枕カバーはない。
【考案が解決しようとする課題】
【０００３】  本考案は、植物性炭素繊維の最も有効な利用方法をもとに、新たに、どの枕にも装着できる枕カバーを開発する。
【課題を解決するための手段】
【０００４】    いま、その解決手段を図面をおいながら説明すれば、
▲１▼  図１の枕カバー（１）の中央部を、植物性炭素繊維を芯にしたパッド（５）を装着するため袋状部分（２）にして、装着するの為の装着口（３）を設ける。
▲２▼  植物性炭素繊維を芯にしたパッド（５）は、図２の植物性炭素繊維（９）の表裏に通気性のある布地（８）配し、さらに表裏となる布地（７）重ね合わせてキルテング状に縫合する。
【考案実施の形態】
【０００５】▲１▼  植物性炭素繊維を芯にしたパッド（５）を、枕カバー本体の袋状部分（２）に、装着口（３）より入れて装着する。
▲２▼  装着口（３）は、釦又はジッパー等で開閉する。
▲３▼  使用するには、この枕カバーの袋状部分（２）を、枕の頭に接する位置に合わせて被せ、両端の接着部分（４）にあるマジックテープを重ね合わせる。
【考案の効果】
【０００６】▲１▼  各自の好みに合った、どのようなサイズの枕にも装着できる。
▲２▼  布地部分と、植物性炭素繊維部分（パッド）を分離できる構造により、洗濯が簡便化される。また、一般家庭使用の洗剤では劣化する植物性炭素繊維を、別途に中性洗剤による洗濯や水洗いすることが可能になり、品質の保持が容易になる。
▲３▼  植物性炭素繊維の両面に、通気性のある布地を配する組み合わせにより、就眠中の摩擦や重圧に対する強度の補強と、植物性炭素繊維から出る炭粉を防止する効果が生まれる。
▲４▼  植物性炭素繊維の有する遠赤外線、マイナスイオン、脱臭、抗菌効果等による疲労回復効果と安眠効果が得られる。
【図面の簡単な説明】
【０００７】
【図１】        本考案の枕カバーの全体図
【図２】        植物性炭素繊維を芯にしたパッドの断面図
【図１】
0003104892.tif 000003
【図２】
0003104892.tif 000004
【手続補正書】
【提出日】平成16年6月7日(2004.6.7)
【手続補正１】
【補正対象書類名】実用新案登録請求の範囲
【補正対象項目名】全文
【補正方法】変更
【補正の内容】
【実用新案登録請求の範囲】
【請求項１】
（イ）枕カバー全体（１）の中央部に、袋状部分（２）を設ける。
（ロ）袋状部分（２）に装着する植物性炭素繊維を芯にしたパッド（５）を、植物炭素繊維（９）の両面に通気性のある布地（８）と布地（７）を合わせて縫合する。
以上の如く構成された、植物性炭素繊維を使用した枕カバー。
【請求項２】
袋状部分（２）を、筒状にした請求項１の植物性炭素繊維を使用した枕カバー。
(57)【要約】      （修正有）【課題】除雪に必要な既製のスノーダンプは、一回のすくう雪の量が少なく、降雪の量によっては雪の運搬回数が多くなる。一回のスノーダンプの運搬量を多くすることにより除雪作業の作業効率アップを可能とする。【解決手段】既製のスノーダンプの内面三方に、スカートを着脱するための接続テープ４を取り付ける。スノーダンプ用スカート１の裏面に接続テープ３を取り付ける。また、スカート１には折り曲げ可能なフレキシブル部２を設け、大小数種類のスノーダンプに取り付け可能とした。除雪の状況にあわせて既製のスノーダンプの接続テープ４とスノーダンプ用スカート１の接続テープ３を合わせてスノーダンプ用スカート１を既製のスノーダンプに取り付ける。【選択図】図１
0003104895.tif 000002
【実用新案登録請求の範囲】
【請求項１】
嵩上げにスカートを使用し、一回のスノーダンプの運搬量を多くすることができるスノーダンプ用スカートである。
【請求項２】
湿った雪、粉雪など雪質にあわせて簡単に取り付け、取り外しができる構造としたスノーダンプ用スカートである。
【請求項３】
数種類の既製スノーダンプの大きさに対応できる構造としたスノーダンプ用スカートである。
【考案の詳細な説明】
【技術分野】
【０００１】  本発明は既製のスノーダンプを用いて除雪する際に、一回の運搬量を多くすることにより除雪作業の作業能率向上に関するものである。
【背景技術】
【０００２】  既製のスノーダンプは積雪地域における除雪用道具として幅広く実用に供されている。
実用のスノーダンプは一回の雪をすくう量が限られており、降雪量によっては運搬回数が多くなり非効率的であった。【０００３】  この改善策として、既製のスノーダンプを嵩上げすることにより一回の運搬量を増やす方法がある。
【特許文献１】特開２００２−３３２６１９
【考案の開示】
【考案が解決しようとする課題】
【０００４】  解決しようとする問題点は、既製のスノーダンプを用いて一回の雪のすくう量を多くして、運搬量を多くすることである。また、雪質によっては運搬量が多くなると重くなり多大なる労力が必要となる。
除雪の際の雪質などによって必要とする目的に応じた作業に対して一種類の補助具で可能とする等。
【課題を解決するための手段】
【０００５】  スノーダンプ用スカートは既製のスノーダンプの嵩上げに用い、一回の運搬量を可能とする。また、除雪の際の雪質により簡単に取り付け、取り外しができ、除雪作業時間の大幅な短縮と、労力の軽減を図ることを最も主要な特徴とする。
【考案の効果】
【０００６】  本発明のスノーダンプ用スカートは除雪時の状況により、簡単に取り付け、取り外しが可能で、また、フレキシブルな構造になっており数種類の大きさのスノーダンプに取り付けが可能であり、女性、高齢者においても取り扱いが簡単にでき目的に応じて一種類の補助具で可能とする利点がある。
【考案を実施するための最良の形態】
【０００７】  除雪の際に本発明のスノーダンプ用スカートを用いることにより、一回の運搬量を多くすることができることとし、除雪作業の向上を図る目的を、除雪にたずさわる人の体力に合わせ着脱でき、操作性を損なわずに実現した。
【実施例】
【０００８】  本発明に係るスノーダンプ用スカートの構成を図面に示す実施例について説明する。
図１に示すように既製のスノーダンプの内面三方に、スカートを着脱するための接続テープ４を取り付ける。
スノーダンプ用スカート１の裏面に接続テープ３を取り付ける。また、スノーダンプ用スカート１には折り曲げ可能なフレキシブル部２を設け、大小数種類のスノーダンプに取り付け可能とした。
除雪の状況にあわせて既製のスノーダンプの接続テープ４とスノーダンプ用スカート１の接続テープ３を合わせてスノーダンプ用スカート１を既製のスノーダンプに取り付ける。
【産業上の利用可能性】
【０００９】  除雪の状況に応じて、簡単に取り付け、取り外しができ、女性、高齢者の体力にあわせて使用することができ、大幅な作業効率を図ることができる。
【図面の簡単な説明】
【００１０】
【図１】本発明のスノーダンプ用スカートの構成を示す斜視図である。（実施例１）
【図２】本発明のスノーダンプ用スカートを示す正面図である。（実施例２）
【符号の説明】
【００１１】  １  スノーダンプ用スカート
２  フレキシブル部
３  スノーダンプ用スカート接続テープ
４  既製スノーダンプ用接続テープ
【図１】
0003104895.tif 000003
【図２】
0003104895.tif 000004
(57)【要約】【課題】冬期は壁掛けとし、夏期は床置きとし設定温度になったら自動運転する壁掛け床置き兼用サーキュレータを提供する。【解決手段】サーキュレータ本体の台３内に温度センサー４一個を配置し、冬期暖房時は壁掛け式とし、夏期冷房時は床置き式とする。本体にモード切換スイッチ６を配置し、冬期使用時は設定温度以上になったら運転を開始し、設定温度以下になったら運転を停止する。夏期使用時は設定温度以下になったら運転を開始し、設定温度以上になったら運転を停止する。これにより自動運転を行なう。【選択図】図１
0003104900.tif 000002
【実用新案登録請求の範囲】
【請求項１】
室内上部の暖かい空気を室内下方へ送るまたは室内下方の冷たい空気を上方へ送るための壁掛け式または床置き式サーキュレータにおいてその内部に室温センサー１個を配置し、あらかじめ任意に設定した室温に達した段階でそのサーキュレータの電動機を自動的に運転開始、または自動的に運転停止を行なえるようにしたことを特徴とする壁掛け式及び床置き式兼用サーキュレータ。
【考案の詳細な説明】
【技術分野】
【０００１】
本考案は、室内の温度差を改善するサーキュレータに関する。
【背景技術】
【０００２】
室内を暖房または冷房すると暖かい空気が室内の上方に溜まり、一方床に近い下方には冷たい空気が溜まる。これを改善する為にプロペラファン形及びシロッコファン形のサーキュレータが使われている。
【０００３】
サーキュレータを運転する場合、手動スイッチまたはリモコンスイッチにより行なう。この操作は暖房機または冷房機の運転と同時に行なうか、または室温が上がりまたは下がり室内の上方と下方で温度差が出たと思われる時点から手動操作で行なうものであった。
【０００４】
本考案はサーキュレータ本体内に１個の温度センサーを配置し、冬はサーキュレータを壁掛け式とし、室内を暖房して天井付近の室温が上昇していった場合あらかじめ設定した設定温度に達した段階でそれまで停止していたサーキュレータの電動機が運転を開始し、また夏はサーキュレータを床置き式とし、モード切換スイッチの切り換えを行い、冷房して床面付近の下がってきた場合あらかじめ設定した設定温度に達した段階でそれまで停止していたサーキュレータの電動機が運転を開始し、また温度が上がってきた場合その設定温度で電動機の運転を停止するようにした。サーキュレータ本体は壁掛け式及び床置き式と簡単に移動ができるよう小型軽量とした。
【０００５】
手動運転の煩わしさを自動運転により解決できる。また連続運転でなく室温に応じた断続運転になるので省エネ効果も期待できる。
【実施例】
【０００６】
以下本考案を実施例によって詳述する。
【０００７】
本体にはファン１、および保護枠２が台３により固定され、台３の中には温度センサー４があり、また前面には温度表示部５がある、リモコン６には設定温度で電動機の運転開始、設定温度で電動機の運転停止の切換スイッチ、また自動運転と手動運転の切換スイッチが付いている。
【０００８】
次に以上の構成における使用方法について説明する。
【０００９】
冬期、壁掛け式の場合。
【００１０】
サーキュレータ本体を壁に掛ける、運転モードを自動運転、設定温度で運転開始にする。暖房開始前は天井付近、床面付近共温度は低くほぼ同一である。暖房運転と共に天井付近の温度が上昇し床付近の温度は上昇せず頭寒足熱の逆になり不快である。壁掛けしたサーキュレータ本体内の温度センサーの温度が徐々に上昇し、あらかじめ設定した温度になったところでサーキュレータの電動機の運転が開始される。室内の空気が攪拌され天井付近と床付近の温度がほぼ同一となる。これによりサーキュレータ内部の温度センサーの温度が低下し設定温度以下になったところで電動機の運転を停止する。電動機はこの運転開始、停止を繰り返す。
【００１１】
夏期、床置き式の場合。
【００１２】
サーキュレータ本体を床に置く、運転モード自動運転、設定温度以上で運転停止にする。冷房開始前は天井付近床面付近共温度が高くあまり温度差はない。冷房運転開始と共に床面付近の温度が低下してくる。この状態では足ばかり冷え不快である。サーキュレータ本体内の温度センサーの温度が次第に下降してくる。あらかじめ設定した温度になったところでサーキュレータの電動機の運転を開始する。室内の空気を攪拌し天井付近と床付近の温度がほぼ同一となる。サーキュレータ内部の温度センサー温度も上昇する、設定温度になったところで電動機の運転を停止する。電動機はこの運転開始、停止を繰り返す。
【図面の簡単な説明】
【００１３】
【図１】本考案実施例を示す斜視図
【図２】本考案冬期壁掛け時の空気の流れ
【図３】本考案夏期床置き時の空気の流れ
【図４】本考案冬期壁掛け式で使用時の室温の変化
【図５】本考案夏期床置き式で使用時の室温の変化
【図６】本考案冬期床置き式で使用時の室温の変化
【図７】冬期従来のサーキュレータ手動式で使用時の室温の変化
【符号の説明】
【００１４】
１    ファン
２    保護枠
３    台
４    温度センサー
５    温度表示部
６    切換スイッチ
７    リモコン
【図１】
0003104900.tif 000003
【図２】
0003104900.tif 000004
【図３】
0003104900.tif 000005
【図４】
0003104900.tif 000006
【図５】
0003104900.tif 000007
【図６】
0003104900.tif 000008
【図７】
0003104900.tif 000009
(57)【要約】【課題】飲物等には従来、一般のスプーンかき棒として使用されている。【解決手段】  スプーンの先端部（窪み）の凹みを無くして長形状のデザインにし中心部に型穴空きを作り，飲物等液体が良く対流して良く混じるかき棒スプーンである。〔選択図〕図１【実用新案登録請求の範囲】
【請求項１】
スプーン先端のまるみ底凹み部分を無くして長形状のデザイン形にし、中心部に型穴空を作り，スプーンはかき棒として飲物等に使用すれば対流して良く混じるデザインスプーンにした。
【考案の詳細な説明】
【技術分野】
【０００１】  本考案はスプーン先端部に型穴空きしたものである。
【背景技術】
【０００２】  一般のスプーンでは、先端部の形状が単一的でありかき棒としての効果は類似的且つ単的であった。
【考案の開示】
【考案が解決しようとする課題】
【０００３】  穴空き形状により、通常のスプーンより混合しやすくなっている事と、デザイン性を求めた物である。
【課題を解決するための手段】
【０００４】  液体を混ぜる時間と負担を短縮させ、尚見た目にも従来品からかけ離れた形状にすることで今までにないスプーンの汎用から抜け出そうとした物である。
【考案の効果】
【０００５】  先端部の穴明き形状により、従来のスプーンよりも液体が混じりやすくなることで、かき棒回す時間が短縮される。また、形状を変えることによりデザイン性をもたらした。
【考案を実地するための最良の形態】
【０００６】  本考案は飲物以外にも液体の混合効果をあらゆる分野に使用出来るスプーン。
【実施例】
【０００７】  本考案の実施例は上述に如き改良したスプ−ンは形状、型穴空きによりかき棒として一体化される。
【産業上の利用可能性】
【０００８】  形状、型穴空きデザインスプーンとしてレストラン、喫茶店、スナック、機内食用に使用されると思われる。
【図面の簡単な説明】
【０００９】
【図１】本考案の形状穴空き型スプーンである。
【符号の説明】
【００１０】１  スプーン本体
２  長形状のデザイン
３  型穴空きした部分
４  スプーン先端のまるみ底の凹みをなくした
【図１】
0003104894.tif 000002
(57)【要約】【課題】  物品の収容能力に一定の限度があった従来のカバンの欠点を解消し、カバンの物品収容能力を、物品の多寡に応じて調整できるようにする。【解決手段】  カバン本体とは別の補助収納部を、オープンファースナーを用いてカバン本体に着脱することができるようにし、又、補助収納部同士もオープンファースナーを用いて相互に着脱できるようにする。【選択図】  図１
0003104882.tif 000002
【実用新案登録請求の範囲】
【請求項１】
カバン本体とは別の補助収納部を、オープンファースナーを用いてカバン本体に着脱することができるようにし、又、補助収納部同士もオープンファースナーを用いて相互に着脱できるようにして、カバンに収容しようとする物品の多寡に応じてカバン全体としての収容能力を調整できるようにしたカバン。
【考案の詳細な説明】
【技術分野】
【０００１】  本考案は、補助収納部を着脱できるようにしたカバンに関するものである。
【背景技術】
【０００２】  仕事や旅行で使用するカバンは、従来、マチの巾をファースナーで調整できる形態のカバン以外、カバンの物品収容能力は一定であった。又、マチの巾をファースナーの開閉で調整できるタイプのカバンにしても、マチの巾を一杯に広げて物品を収納すれば、それ以上に物品を収容することはできなかった。
【考案の開示】
【考案が解決しようとする課題】
【０００３】  本考案は、物品の収容能力に一定の限度があった従来のカバンの欠点を解消し、カバンの物品収容能力を、物品の多寡に応じて調整できるようにしようとするものである。
【課題を解決するための手段】
【０００４】  カバン本体とは別の補助収納部を、オープンファースナーを用いてカバン本体に着脱することができるようにし、又、補助収納部同士もオープンファースナーを用いて相互に着脱できるようにして、カバンに収容しようとする物品の多寡に応じてカバン全体としての収容能力を調整できるようにする。
【考案の効果】
【０００５】  カバン本体とは別の補助収納部を、オープンファースナーを用いてカバン本体に着脱することができるようにし、又、補助収納部同士もオープンファースナーで着脱できるようにすれば、カバンに収容すべき物品が多い場合には、カバン本体に第一の補助収納部取り付け、続いて、第一の補助収納部に第二の補助収納部を取り付け、更に第二の補助収納部に第三の補助収納部を取り付け、これらを繰り返すことによって、理屈の上からは、カバンの収容能力を無限に増大させることができる。逆に、カバンに収容すべき物品が少ない場合には、補助収納部をカバンから取り外すことによって、カバンの収容能力を縮減することができる。又、補助収納部に種々の大きさのものを用意することによっても、大きな補助収納部をカバン本体に取り付けることによってカバンの物品収容能力を高めることができるし、小さな補助収納部を取り付けることによって、カバンの物品収容能力を小さくすることができる。
このように、カバン本体とは別の補助収納部を、オープンファースナーを用いてカバン本体に着脱することができるようにし、補助収納部同士もオープンファースナーを用いて相互に着脱することができるようにすれば、カバンの物品収容能力を、常に、その時々に運びたい物品の量に合わせることができる。従って、大は小を兼ねるとして大き目のカバンを買う必要はなく、又、カバンが小さくて、もっと大きなカバンを買っておけば良かったと後悔することもなくなる。
【考案を実施するための最良の形態】
【０００６】  カバン本体には持ち手が有るので、【０００７】で説明しているように、着脱できる補助収納部をカバン本体の持ち手の付いているのと同じ側面に取り付ける場合と、【０００８】で説明しているように、カバン本体の持ち手がある側面に対して横に当たる側面に取り付ける場合、更に、カバン本体の持ち手と同じ側面、並びに、横に当たる側面の両方に補助収納部を取り付ける場合、の三つの態様が考えられる。
【実施例】
【０００７】  図１に示したように、カバン本体１の持ち手が取り付けられている二つの側面にオープンファスナー４を取り付け、補助収納部２の両側面にもオープンファースナー５を取り付ける。カバン本体のオープンファースナー４と補助収納部のオープンファースナー５をスライダー７で合体させることにより、補助収納部をカバン本体１に接続させることができる。図１並びに図２のカバン本体１と補助収納部２（Ａ）とは、このようにして合体されたものである。又、ファースナーカバー３を用意することにより、カバン本体１又は補助収納部２のファースナーが剥き出しになることを防止することができるし、この部分は小さな物品を収納するための補助収納部ともなる。只、ここで説明したカバン本体１の持ち手の付いている側面に補助収納部２を取り付ける場合、補助収納部２を沢山連結すればするほど、カバンが体から離れ、運び難くなる。この問題は、次に説明するように、補助収納部２をカバン本体１の横の側面に取り付けることができるようにすることによって解消される。【０００８】  図２は、カバン本体１の持ち手がある側面に対して横に当たる側面に補助収納部２を取り付ける場合である。この場合も基本的には【０００７】で説明したのと同じであるが、こちらの方が、補助収納部２を沢山連結して持ち運ぶことができる。補助収納部２を沢山連結する場合、カバン本体１、並びに、補助収納部２をバンド８で束ね、バンドを肩に掛けられるようにすることによって、カバンの持ち運びがよりし易くなる。
【図面の簡単な説明】
【０００９】
【図１】  カバン本体に付いている持ち手と同じ側面に補助収納部を取り付ける場合の斜視図。
【図２】  持ち手が付いている側面に対して横に当たる側面に補助収納部を取り付ける場合の斜視図。
【符号の説明】
【００１０】  １    カバン本体
２    補助収納部
２Ａ  補助収納部のうち、カバン本体とオープンファースナーで結合された補助収納部
３    ファースナーカバー
４    カバン本体に取り付けられたオープンファースナー
５    補助収納部に取り付けられたオープンファースナー
６    ファースナーカバーに取り付けられたオープンファースナー
７    ファースナーのランナー
８    バンド
９    バンド通し
【図１】
0003104882.tif 000003
【図２】
0003104882.tif 000004
(57)【要約】【課題】電源装置４および周辺装置群１０と、演算装置９とが接続される信号線および電力線を容易に分離または結合可能とする。【解決手段】電源装置４および周辺装置群１０から信号線および電力線を固定部側統合インターフェースコネクタ８に接続し、演算装置９から信号線および電力線を可変部側統合インターフェースコネクタ１１に接続することにより、双方の統合インターフェースコネクタを脱着させることで固定部と可変部を容易に分離または結合可能にする。【選択図】図１
0003104884.tif 000002
【実用新案登録請求の範囲】
【請求項１】
電源装置および周辺装置群からなる固定部と、演算装置からなる可変部とから構成され、統合インターフェースコネクタを介して両者を結合することにより１つのシステムが構成される分割型パーソナルコンピュータ。
【考案の詳細な説明】
【技術分野】
【０００１】
本考案は、固定部と可変部とから１つのシステムが構成される分割型パーソナルコンピュータに関するものである。
【背景技術】
【０００２】
パーソナルコンピュータは、ＣＰＵ１とメモリ２が搭載されたマザーボード３からなる演算装置９、データストレージデバイスを含む周辺装置群１０、演算装置９および周辺装置群１０に電力供給する電源装置４とで構成されている。電源装置４からは演算装置９および周辺装置群１０に電力供給するための電力線が接続されており、演算装置９と周辺装置群１０との間は信号線が接続され、１つのシステムとして実用に供されている。
演算装置９と、電源装置４、周辺装置群１０が信号線または電力線で直接接続されたシステムは、コンピュータの実用上問題はなかった。
【０００３】
しかし、パーソナルコンピュータを買い替える際、演算装置９などデータ処理能力に直接影響する部分と、電源装置４および周辺装置群１０などデータ処理能力にあまり影響しない部分が存在しているにもかかわらず、新たに１つのシステムを買い替える必要があった。
あえて交換する必要がない部分は、本来長期間にわたり有効活用が可能であるが、１つのシステムとして構成されている以上、新システムに交換する際には旧システムのすべてが廃棄されるという欠点があった。
【０００４】
コンピュータの買い替え時において、この欠点は資源の有効活用の上で大きな問題であり、技術の進歩と共に産業廃棄物が増大するという社会問題となっている。
【０００５】
この改善策として、信号線および電力線に統合インターフェースコネクタ１１および８を介すことにより、電源装置４および周辺装置群１０と、演算装置９とを分割させ、電源装置４および周辺装置群１０を固定部として再利用させる方法がある。図１はこの方法によるシステム形態を示すための説明図である。図１で４は電源装置、８は固定部側統合インターフェースコネクタ、９は演算装置、１０は周辺装置群、１１は可変部側統合インターフェースコネクタである。
【考案の開示】
【考案が解決しようとする課題】
【０００６】
解決しようとする問題点は、電源装置４からは演算装置９に電力供給するための電力線が直接接続されており、また演算装置９と周辺装置群１０との間は信号線が直接接続されていることにより、電源装置４および周辺装置群１０からなる固定部と、演算装置９からなる可変部とを容易に分離または結合できない点である。
【課題を解決するための手段】
【０００７】
本考案は、電源装置４および周辺装置群１０と固定部側統合インターフェース８との間を信号線および電力線で接続し、演算装置９と可変部側統合インターフェースコネクタ１１との間を信号線および電力線で接続することにより、双方の統合インターフェースコネクタを脱着させることで電源装置４および周辺装置群１０からなる固定部と、演算装置９からなる可変部とを容易に分離または結合することができるようにしたことを最も主要な特徴とする。
【考案の効果】
【０００８】
本考案の分割型パーソナルコンピュータは、買い替え時には可変部のみ交換するだけで演算処理能力を向上させることができ、固定部の資源を廃棄せず有効に活用することができるという利点がある。また、可変部にあるメインボードに搭載されているＩ／Ｏコネクタも固定部に設置することにより、資源を廃棄することなくより有効に活用することができ、かつ可変部の部材コスト低減が可能となるという利点もある。
【考案を実施するための最良の形態】
【０００９】
１つのシステムを固定部と可変部とに分割するという目的を、最小の部品点数で実現した。
【実施例１】
【００１０】
図２は、本システムの１実施例の斜視図であって、１はＣＰＵ、２はメモリ、３はメインボード、４は電源装置、５はハードディスクドライブ、６はＲＯＭドライブ、７はフレキシブルディスクドライブ、８は固定部側統合インターフェースコネクタ、１１は可変部側インターフェースコネクタである。
【００１１】
電源装置４、ハードディスクドライブ５、ＲＯＭドライブ６、フレキシブルディスクドライブ７から構成される固定部の統合インターフェースコネクタ８は、電源装置４からは電力線が接続され、ハードディスクドライブ５、ＲＯＭドライブ６、フレキシブルディスクドライブ７からは信号線が接続される。また、メインボード３、ＣＰＵ１、メモリ２から構成される可変部の統合インターフェースコネクタ１１は、メインボード３へ接続される信号線および電力供給する電力線が接続される。固定部側統合インターフェースコネクタ８と、可変部側インターフェースコネクタ１１を結合した状態で１つのシステムを構成するものであり、可変部のみを分離させ、別の新たな可変部を結合しても１つのシステムとして動作するものである。
【図面の簡単な説明】
【００１２】
【図１】パーソナルコンピュータのシステム形態を示した説明図である。
【図２】パーソナルコンピュータの実施方法を示した説明図である。（実施例１）
【符号の説明】
【００１３】
１    ＣＰＵ
２    メモリ
３    メインボード
４    電源装置
５    ハードディスクドライブ
６    ＲＯＭドライブ
７    フレキシブルディスクドライブ
８    固定部側統合インターフェースコネクタ
９    演算装置
１０  周辺装置群
１１  可変部側統合インターフェースコネクタ
【図１】
0003104884.tif 000003
【図２】
0003104884.tif 000004
(57)【要約】【目的】  塗料や溶剤などの入った取り出し口直径の小さな容器でも、攪拌効率の良い大型の攪拌羽根を容器内に挿入して使用出来るようにした。【構成】  攪拌羽根の羽根２の付け根部を蝶番のように折り畳み出来るものとし、容器口に挿入の時は折り畳んで挿入出来、容器内部に挿入後、軸１をＭのモーターで回転させる事により、羽根２の直径が広がり、攪拌効率の良い大型の攪拌羽根となるようにした。【選択図】  図３
0003104881.tif 000002
【実用新案登録請求の範囲】
【請求項１】
折り畳みの出来る攪拌羽根
【請求項２】
羽根の端、外周にチェーンを装着した攪拌羽根
【考案の詳細な説明】
【考案の詳細な説明】
【考案が解決しようとする課題】
【０００１】従来、塗料や溶剤を攪拌するために、スクリュー型の攪拌羽根があるが、攪拌しようとする塗料や溶剤の入った容器の取り出し口が小径である事が多く、攪拌する容積に相応した大型の攪拌羽根を容器内に挿入させる事が出来ない問題があった。しかるに、それらで攪拌するには、攪拌羽根を容器内に挿入出来るよう蓋部付近を大きく切り開らかなければならない手間暇の掛かるものであった。又、塗料や溶剤の容器を切り開らいたものは、再度、蓋をして密閉することが出来ないために、使い切るか破棄しなければならず、非常に不経済なものであった。
【課題を解決するための手段】
【０００２】上記課題を達成するために、容器の取り出し口直径が小さなものでも、大型の攪拌羽根を容器内に挿入出来るよう、羽根２の付け根部を蝶番のように屈曲できるものとし、挿入時に羽根２を折り曲げて挿入、攪拌のために軸１をＭのモーターで回転させる事で、折り畳まれている羽根２が遠心力及び流体を掻く事により、羽根２の直径が大きくなり、効果的に攪拌できるものとした。又、回転する羽根２で容器の内壁及び羽根２自身を直撃で破損させないために、羽根２の外周にチェーン７を装備し、接触時の干渉を和らげるものとした。
【考案の効果】
【０００３】塗料や溶剤等の取り出し口直径の小さな容器でも、容器に相応する大型の攪拌羽根を使用することが出来るので、攪拌効率が向上し、従来までの攪拌のための手間暇と無駄を大きく削減出来るものである。
【図面の簡単な説明】
【図１】折り畳み攪拌羽根の正面図である。
【図２】折り畳み攪拌羽根の下面図である。
【図３】Ｍのモーターで軸１を回転させる事により、攪拌羽根の羽根２が開く様子を単一羽根で示した正面図である。
【図４】攪拌羽根、羽根２の動きを図（ａ）〜図（ｄ）で示した正面図である。
【図５】攪拌羽根、羽根２の端、外周にチェーン７を装着した図で、軸１を回転させた状況を示した攪拌羽根の正面図である。
【図６】攪拌羽根、羽根２の端、外周にチェーン７を装着した攪拌羽根を回転させた時の羽根２及びチェーン７の広がりを示した攪拌羽根の下面図である。
【図７】攪拌羽根、羽根２にチェーン７を装着し、それぞれの動く様子を図（ａ”）〜図（ｂ”）で示した攪拌羽根の正面図である。
【図８】取り出し口直径の小さい容器８に、考案の攪拌羽根を挿入し作動状況をそれぞれに示した正面図である。
【符号の説明】
Ｍ  モーター      １  回転軸      ２  羽根      ３  軸プレート      ４  羽根組み付けプレート      ５  プレート組み付けナット      ６  ピン      ７  チェーン      ８  容器
【図１】
0003104881.tif 000003
【図２】
0003104881.tif 000004
【図３】
0003104881.tif 000005
【図４】
0003104881.tif 000006
【図５】
0003104881.tif 000007
【図６】
0003104881.tif 000008
【図７】
0003104881.tif 000009
【図８】
0003104881.tif 000010
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
回転軸（１）に伝動連結した、軸プレート（３）に、羽根（２）のピン（６）を羽根組付けプレート（４）で複数枚組付け、その羽根（２）がピン（６）を支点として、約９０°の範囲で羽根の角度を変える事が出来るように定めたもので、回転軸（１）を垂直にした状態での羽根はそれぞれ垂れ下がり、羽根全体としての直径は小さなものである。モーター（Ｍ）で回転軸（１）を回転させることにより、伝動連結した羽根（２）が、遠心力及び溶液等を攪ことにより、羽根全体としての直径が大きくなり、大容量の攪拌羽根となる羽根の外周にチェーンを装着した攪拌羽根
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
回転軸（１）に伝動連結した、軸プレート（３）に、羽根（２）のピン（６）を羽根組付けプレート（４）で複数枚組付け、その羽根（２）がピン（６）を支点として、約９０°の範囲で羽根の角度を変える事が出来るように定めたもので、回転軸（１）を垂直にした状態での羽根はそれぞれが垂れ下がり、羽根周りの直径が小径となることから小さな容器口でも通過可能となり、挿入後回転軸（１）をモーター（Ｍ）で回転させることで、伝動連結した羽根（２）が、遠心力及び溶液を攪ことにより羽根全体としての直径が大きくなり大容量の攪拌羽根となる羽根の外周端にチェーンを装着したことを特徴とする攪拌羽根。